(57)【要約】【課題】通信相手の通信端末機がテレビ電話サービス等の特定サービスを行う通信機能を有するか否かを容易に把握することができ、これによって利用者の使い勝手を向上させること。【解決手段】通信端末機１において、通信相手側の通信端末機１Ａとの通信中に遣り取りされる通信制御情報が当該相手側の通信端末機１Ａの識別子と対応付けて保存されるようにしておき、次回、その相手側の通信端末機１Ａと通信を行う前に、利用者が通信端末機１の操作にて、相手側の識別子を指定して相手側の通信端末機１Ａの通信制御情報を判り易く表示するようにする。即ち、一度通信を行った通信端末機１Ａについては、次回の通信前に、利用者が操作指定によって例えばテレビ電話サービス等の特定サービスが利用可能か否かを、その都度、通信相手と通信を確立して問い合わせなくても知ることを可能とした。【選択図】      図１
2007300481.tif 000002
【特許請求の範囲】
【請求項１】
相手側の通信端末機との通信中に遣り取りされる当該通信端末機の通信機能を示す情報を含む通信制御情報を、前記相手側の通信端末機の識別子と対応付けて記憶する記憶手段と、
前記記憶された識別子が指定された際に、その指定された識別子に対応付けられた通信制御情報を検索する検索手段と、
前記検索手段で検索された通信制御情報を表示する表示手段と
を備えたことを特徴とする通信端末機。
【請求項２】
前記検索手段で検索された通信制御情報を、人が理解し易い形式で表示される情報に加工し、この加工された情報を前記表示手段へ通知する表示制御手段を更に備えたことを特徴とする請求項１に記載の通信端末機。
【請求項３】
相手側の通信端末機との通信中に遣り取りされる当該通信端末機の通信機能を示す情報を含む通信制御情報を、前記相手側の通信端末機の識別子と対応付けて記憶する記憶ステップと、
前記記憶ステップにて記憶された識別子が指定された際に、その指定された識別子に対応付けられた通信制御情報を検索する検索ステップと、
前記検索ステップにて検索された通信制御情報を、人が理解し易い形式で表示される情報に加工し、この加工された情報を表示する表示ステップと
を含むことを特徴とする通信制御情報表示方法。
【発明の詳細な説明】
【技術分野】
【０００１】
本発明は、利用者が通信相手側の通信端末機の通信機能を把握する際に、その都度通信を行うことなく利用者に相手側通信端末機の通信機能の情報を自分の通信端末機に分かり易く表示する通信端末機及び通信制御情報表示方法に関する。
【背景技術】
【０００２】
利用者の通信端末機（自通信端末機と称す）に通信接続されている相手側の通信端末機（他通信端末機と称す）に関する情報を自通信端末機に表示するために、その通信を利用して他通信端末機に問合せを行い他通信端末機の情報を検出し、この検出情報を自通信端末機に表示する通信情報表示装置や通信情報表示方法が提案されている（特許文献１参照）。
【特許文献１】特開２００３−３７６８４号公報
【発明の開示】
【発明が解決しようとする課題】
【０００３】
しかし、上記の特許文献１においては、他通信端末機の情報を検出する場合、その都度、他通信端末機に対して問合せ等の通信を行う必要があり、また、通信終了後に他通信端末機の情報を知るためには、再度通信を確立する必要がある。このため、通信開始時に通信方法を決定しておく必要があるテレビ電話サービス等の特定サービスを利用するユーザにとっては、問合せをしなければ相手側の通信端末機に所望の通信機能が備わっているかどうかを知ることができず、非常に使い勝手が悪いという問題がある。
本発明は、このような課題に鑑みてなされたものであり、通信相手の通信端末機がテレビ電話サービス等の特定サービスを行う通信機能を有するか否かを容易に把握することができ、これによって利用者の使い勝手を向上させることができる通信端末機及び通信制御情報表示方法を提供することを目的としている。
【課題を解決するための手段】
【０００４】
上記目的を達成するために、本発明の請求項１による通信端末機は、相手側の通信端末機との通信中に遣り取りされる当該通信端末機の通信機能を示す情報を含む通信制御情報を、前記相手側の通信端末機の識別子と対応付けて記憶する記憶手段と、前記記憶された識別子が指定された際に、その指定された識別子に対応付けられた通信制御情報を検索する検索手段と、前記検索手段で検索された通信制御情報を表示する表示手段とを備えたことを特徴とする。
【０００５】
この構成によれば、一度通信を行った通信端末機については、次回の通信前に、利用者が自分の通信端末機にて、相手側の通信端末機の識別子を指定することで、相手側の通信端末機の通信制御情報に含まれる例えばテレビ電話サービス等の特定サービスを行うための通信機能が表示される。従って、利用者は、これから通信を行う相手側の通信端末機も特定サービスが利用可能か否かを、その都度、通信相手と通信を確立して問い合わせなくても知ることができる。
【０００６】
また、本発明の請求項２による通信端末機は、請求項１において、前記検索手段で検索された通信制御情報を、人が理解し易い形式で表示される情報に加工し、この加工された情報を前記表示手段へ通知する表示制御手段を更に備えたことを特徴とする。
この構成によれば、利用者が相手側の通信端末機に特定サービスを行う機能があるか否かを正確に認識することが可能となる。
【０００７】
また、本発明の請求項３による通信制御情報表示方法は、相手側の通信端末機との通信中に遣り取りされる当該通信端末機の通信機能を示す情報を含む通信制御情報を、前記相手側の通信端末機の識別子と対応付けて記憶する記憶ステップと、前記記憶ステップにて記憶された識別子が指定された際に、その指定された識別子に対応付けられた通信制御情報を検索する検索ステップと、前記検索ステップにて検索された通信制御情報を、人が理解し易い形式で表示される情報に加工し、この加工された情報を表示する表示ステップとを含むことを特徴とする。
【０００８】
この方法によれば、一度通信を行った通信端末機については、次回の通信前に、利用者が自分の通信端末機にて、相手側の通信端末機の識別子を指定することで、相手側の通信端末機の特定サービスを行うための通信機能が、利用者に理解し易い形式で表示される。従って、利用者は、これから通信を行う相手側の通信端末機も特定サービスが利用可能か否かを、その都度、通信相手と通信を確立して問い合わせなくても、正確に認識することが可能となる。
【発明の効果】
【０００９】
以上説明したように本発明の通信端末機及び通信制御情報表示方法によれば、通信相手の通信端末機がテレビ電話サービス等の特定サービスを行う通信機能を有するか否かを容易に把握することができ、これによって利用者の使い勝手を向上させることができるという効果がある。
【発明を実施するための最良の形態】
【００１０】
以下、本発明の実施の形態を、図面を参照して説明する。
図１は、本発明の実施の形態に係る通信端末機を用いた通信システムの構成を示すブロック図である。
図１に示す通信システムは、互いに情報の送受信を行う通信端末機１，１Ａが、通信インタフェース１１，１１Ａを介して通信網１０に接続されるように構成されている。
【００１１】
通信インタフェース１１，１１Ａは、無線通信用のものであればＩＭＴ−２０００(International Mobile Telecommunication-2000)やＩＥＥＥ(Institute of Electrical and Electronics Engineers)８０２．１１ａ等であり、有線通信用のものであればイーサネット（登録商標）やＩインタフェース等である。また、通信網１０は、移動通信網等の単一のネットワークで構成される揚合と、固定通信網とインターネット等の複数のネットワークの組合せで構成される場合とがある。
【００１２】
更に、本実施の形態の特徴要素である通信端末機１，１Ａは、携帯電話機、パソコン、ＰＤＡ(Personal Digital Assistance)等の通信装置と表示装置を備えた通信機器であり、互いに通信を行う通信端末機１，１Ａは同種類の通信機器である必要はない。
図２に示すように、通信端末機１は、通信制御部２と、端末情報蓄積テーブル３ａを有する端末情報蓄積部３と、表示規定テーブル４ａを有する表示制御部４と、表示部５と、情報検索部６とを備えて構成されている。
【００１３】
通信制御部２は、通信網１０と接続するための通信インタフェース１１に対応しており、通信網１０を介して相手側の通信端末機１Ａとの間で通信制御情報（後述で説明）の送受信を行うものである。例えば、通信端末機１Ａとの通信中に当該通信端末機１Ａから通信制御情報を受信した場合、この通信制御情報と、通信端末機１Ａの識別子とを合せて端末情報蓄積部３へ出力する。
ここで、通信制御部２は、各通信端末機１，１Ａの機種が異なるために当該通信制御部２で把握されない通信制御情報を受信した場合、その通信制御情報を無視し、端末情報蓄積部３へ出力しないようになっている。
【００１４】
通信制御情報とは、通信端末機の通信に係る情報であり、携帯電話のテレビ電話サービス等の特定サービスを行うための通信機能（通信能力）や、これ以外の通常装備されている通信機能を示す情報が含まれている。例えば、テレビ電話サービスでは、通信制御プロトコルＨ．２４５のメッセージ中に記載されるＣＯＤＥＣ能力、映像や音声のビットレート等が通信制御情報となる。また、ＶｏＩＰ(Voiceover IP)サービスであればＳＩＰ(Session Initiation Protocol)によるセッション開始手続きにおいて、メッセージ中にＳＤＰ(Session Description Protocol)により記述される通信のメディアタイプなどが通信制御情報となる。
【００１５】
端末情報蓄積部３は、通信制御部２で受信された通信相手の通信端末機１Ａの通信制御情報及び識別子の双方を対応付けて、図３に示すように端末情報蓄積テーブル３ａに保存するものである。端末情報蓄積テーブル３ａに保存される通信端末機の識別子は、図３に一例を示す電話番号「０９０−１２３４−ＸＸＸＸ」、「０９０−１２３４−ＹＹＹＹ」、「０９０−１２３４−ＺＺＺＺ」又はＩＰアドレス、ＵＲＩ(Uniform Resource Identifier)等である。また、識別子に対応付けられる通信制御情報として、本例では「０９０−１２３４−ＸＸＸＸ」に「通信制御情報Ａ」が、「０９０−１２３４−ＹＹＹＹ」に「通信制御情報Ｂ」が、「０９０−１２３４−ＺＺＺＺ」に「通信制御情報Ａ」及び「通信制御情報Ｂ」が対応付けられている。
【００１６】
また、端末情報蓄積部３は、アドレス帳、電話帳などがその役割を果たしてもよく、端末情報蓄積部３に保存した情報はその通信が終了した後も消えることがないようになっている。但し、端末情報蓄積部３への保存時に既に通信端末機１Ａの識別子に対応した通信制御情報が保存されており、この既存の通信制御情報が通信制御部２から受け取った新規の通信制御情報と異なる場合は、既存の通信制御情報を消去して新規に受け取った通信制御情報を保存する。
【００１７】
情報検索部６は、通信端末機１において、この利用者から他の通信端末機１Ａの識別子をキー操作等で指定された際に、この識別子をキーとして、端末情報蓄積テーブル３ａから該当する通信端末機１Ａの通信制御情報を検索し、この検索された通信制御情報を表示制御部４へ出力する。
表示制御部４は、表示部５に通信制御情報を表示する制御を行う。この表示制御の際に、図４に示す表示規定テーブル４ａをもとに行う。表示規定テーブル４ａには、情報検索部６で検索された通信制御情報を表示部５に表示するための表示方法の情報と通信制御情報とが保存されている。通信制御情報は種類と値からなり、表示方法情報は形式と値からなる。
【００１８】
通信制御情報の種類は、本例では「映像ビットレート」及び「メディアタイプ」の情報であり、映像ビットレートの値が「６４ｋｂｐｓ」と「３２ｋｂｐｓ」、メディアタイプの値が「Ａ＋Ｂ」と「Ａ」の情報である。
表示方法の形式は、本例では「テキスト」とアイコン「Ｂサービスアイコン」の情報であり、テキストの表示方法の値として「高品質通信」及び「低品質通信」、Ｂサービスアイコンの表示方法の値として「点灯する」及び「点灯しない」の情報が保存されている。但し、表示方法として、利用者が分かりやすい用語を用いたり、利用者が認識しているサービスと関連付けたりすることで、通信制御情報を利用者に分かり易く表示してもよい。
【００１９】
即ち、表示制御部４は、情報検索部６で検索された通信制御情報を受け取ると、表示規定テーブル４ａをもとに適切な表示方法を選択し、この選択方法で通信制御情報を表示部５に出力して指示する。また、通信制御情報をそのまま表示する場合は、表示規定テーブル４ａを利用せずに表示指示を行う。
表示部５は、その指示された表示方法で通信制御情報を表示する。
【００２０】
このような特徴を有する通信端末機１のハードウェア構成は、図５に示すように、通信端末機全体の制御を司るＣＰＵ１０１と、通信端末機１の電源を切っても保存情報が消えない不揮発性メモリ１０２と、プログラム等の制御情報が記憶されたＲＯＭ１０３と、各種キー等の操作部１０４と、他通信端末機と無線通信を行う無線通信部１０５と、文字やキャラクタを表示するディスプレイ１０６とを備えて構成されている。
【００２１】
このようなハードウェア構成で、上述の図２に示した特徴要素を実現する例として、通信制御部２は無線通信部１０５及びＲＯＭ１０３により実現し、端末情報蓄積部３は不揮発性メモリ１０２、表示制御部４はＣＰＵ１０１及びＲＯＭ１０３、表示部５はディスプレイ１０６、情報検索部６はＣＰＵ１０１で実現することができる。但し、操作部１０５は、利用者が他通信端末機の識別子を指定する際にも利用される。
【００２２】
次に、このような構成の通信端末機１が他の通信端末機１Ａと通信中に、通信相手の通信制御情報を保存した後、次回の通信開始前に通信相手が所望の通信機能を有するか否かを表示する通信制御情報表示方法を、図６に示すシーケンス図を参照して説明する。
まず、ステップＳ１において、通信端末機１に、通信網１０を介して相手側の通信端末機１Ａから当該相手側が指定した通信の手順・形式に従って通信制御情報を含むメッセージが送信されたとする。
【００２３】
これを受信した通信端末機１の通信制御部２は、ステップＳ２において、相手側の通信端末機１Ａに応答するための自通信端末機１の通信制御情報を決定し、ステップＳ３において、相手側の通信端末機１Ａが指定した通信の手順・形式に従って、自通信端末機１の通信制御情報を含むメッセージを相手側の通信端末機１Ａへ送信する。ここで、上記の通信の手順・形式とは、例えばテレビ電話サービスの通信制御プロトコルＨ．２４５やＶｏＩＰサービスのセッション開始プロトコルＳＩＰなどである。
【００２４】
また、自通信端末機１の通信制御部２は、上記ステップＳ３の動作と並行にステップＳ４において、相手側の通信端末機１Ａから受信した通信制御情報を端末情報蓄積部３へ同通信端末機１Ａの識別子と合せて出力する。ステップＳ５において、端末情報蓄積部３は、受け取った相手側の通信端末機１Ａの識別子と通信制御情報とを対応付けて端末情報蓄積テーブル３ａに保存する。
【００２５】
但し、実際の通信においては、双方の通信端末機１，１Ａの通信制御情報の遣り取りが複数回繰り返されることがあり、その場合は通信制御部２が認識している相手側の通信端末機１Ａの通信制御情報を受信する度に受信情報が端末蓄積情報部３へ出力され、端末情報蓄積テーブル３ａに相手側の通信端末機１Ａの識別子に複数の通信制御情報が対応付けられて保存される。
また、図６では相手側の通信端末機１Ａが最初に自通信端末機１Ａの通信制御情報を送信しているが、通信端末機１から通信端末機１Ａに発信した場合、通信端末機１が最初に自通信端末機１の通信制御情報を送信する。
【００２６】
次に、次回の通信開始前に、自分の通信端末機１に相手側の通信端末機１Ａの通信制御情報を表示する際の動作を説明する。
まず、ステップＳ２０において、利用者１００が操作部１０４にて、これから通信を行う相手側の通信端末機１Ａの識別子を指定する操作を行うと、ステップＳ２１において、情報検索部６が、その指定された識別子をキーとして、端末情報蓄積部３から該当する通信端末機１Ａの通信制御情報を検索し、ステップＳ２２において、その検索された通信制御情報を表示制御部４へ出力する。
【００２７】
ステップＳ２３において、表示制御部４は情報検索部６で検索された通信制御情報をもとに、ステップＳ２３において、表示規定テーブル４ａから対応する表示方法の情報を検索・決定し、ステップＳ２４において、その表示方法の情報を表示部５に指示する。なお、通信制御情報をそのまま表示する場合は、上記ステップＳ２３の手順を踏まずに、ステップＳ２４として表示部５に通信制御情報の表示を指示する。
【００２８】
ステップＳ２５において、表示部５は、その指示された表示方法に基づき、これから通信を行う相手側の通信端末機１Ａの通信制御情報を表示する。
このように、本実施の形態の通信端末機１によれば、通信相手側の通信端末機１Ａとの通信中に遣り取りされる通信制御情報が当該相手側の通信端末機１Ａの識別子と対応付けて保存されるようにしておき、次回、その相手側の通信端末機１Ａと通信を行う前に、利用者が通信端末機１の操作にて、相手側の識別子を指定して相手側の通信端末機１Ａの通信制御情報を判り易く表示することができるようにした。
【００２９】
即ち、一度通信を行った通信端末機１Ａについては、次回の通信前にその通信端末機の通信制御情報である例えばテレビ電話サービス等の特定サービスを行うための通信機能が表示されるので、利用者は、これから通信を行う相手側の通信端末機１Ａも、例えばテレビ電話サービス等の特定サービスが利用可能か否かを、その都度、通信相手と通信を確立して問い合わせなくても知ることができる。
また、その表示部５への表示は、利用者が容易に理解できる形式で表示することができるので、利用者が相手側の特定サービスを正確に認識することが可能となる。これらの結果、ユーザの使い勝手を向上させることができる。
【図面の簡単な説明】
【００３０】
【図１】本発明の実施の形態に係る通信端末機を用いた通信システムの構成を示すブロック図である。
【図２】上記通信端末機の特徴要素の構成を示すブロック図である。
【図３】上記通信端末機の端末情報蓄積テーブルの情報保存例を示す図である。
【図４】上記通信端末機の表示規定テーブルの情報保存例を示す図である。
【図５】上記通信端末機のハードウェア構成を示すブロック図である。
【図６】上記通信端末機における他の通信端末機の通信制御情報表示方法を説明するためのシーケンス図である。
【符号の説明】
【００３１】
１，１Ａ  通信端末機
２  通信制御部
３  端末情報蓄積部
３ａ  端末情報蓄積テーブル
４  表示制御部
４ａ  表示規定テーブル
５  表示部
６  情報検索部
１０  通信網
１１，１１Ａ  通信インタフェース
１０１  ＣＰＵ
１０２  不揮発性メモリ
１０３  ＲＯＭ
１０４  操作部
１０５  無線通信部
１０６  ディスプレイ
【図１】
2007300481.tif 000003
【図２】
2007300481.tif 000004
【図３】
2007300481.tif 000005
【図４】
2007300481.tif 000006
【図５】
2007300481.tif 000007
【図６】
2007300481.tif 000008